(57)【要約】【課題】  巾着状の収納具を開口させることが困難であった。【解決手段】  上方には開閉自在な開閉部２１が設けられるとともに下方が閉塞された収納袋２２と、この収納袋２２の上方に設けられた紐挿通部２３と、この紐挿通部２３に摺動自在に挿通されたリング状の紐２４，２５とを備え、紐２４に閉塞取手２６ａを紐挿通部２３の一方の端２３ａ側に設けるとともに、開口取手２７ｂを紐挿通部２３の他方の端２３ｂ側近傍に直接装着し、紐２５に閉塞取手２６ｂを紐挿通部２３の他方の端２３ｂ側に設けるとともに、開口取手２７ａを紐挿通部２３の一方の端２３ａ側近傍に直接装着したものである。これにより、所期のも目的を達成することができる。【選択図】図１
2007313258.tif 000002
【特許請求の範囲】
【請求項１】
柔軟部材で形成されるとともに略四角形をした収納具であって、上方には開閉自在な開閉部が設けられるとともに下方が閉塞された収納部と、この収納部の上方に設けられた紐挿通部と、この紐挿通部に摺動自在に挿通された第１、第２のリング状の紐とを備え、前記第１の紐に第１の閉塞取手を前記紐挿通部の一方の端側に設けるとともに、第１の開口取手を前記紐挿通部の他方の端側近傍に直接装着し、前記第２の紐に第２の閉塞取手を前記紐挿通部の他方の端側に設けるとともに、第２の開口取手を前記紐挿通部の一方の端側近傍に直接装着した収納具。
【請求項２】
第１、第２の閉塞取手と、第１、第２の開口取手には、夫々異なる飾りを装着した請求項１に記載の収納具。
【請求項３】
第１の開口取手と第１の閉塞取手は、第１の紐で形成するとともに、第２の開口取手と第２の閉塞取手は、第２の紐で形成した請求項１に記載の収納具。
【請求項４】
上方には柔軟部材で開閉自在な開閉部が設けられるとともに下方には硬質部材で形成された収納部と、この収納部の上方に設けられた紐挿通部と、この紐挿通部に摺動自在に挿通された第１、第２のリング状の紐とを備え、前記第１の紐に第１の閉塞取手を前記紐挿通部の一方の端側に設けるとともに、第１の開口取手を前記紐挿通部の他方の端側近傍に直接装着し、前記第２の紐に第２の閉塞取手を前記紐挿通部の他方の端側に設けるとともに、第２の開口取手を前記紐挿通部の一方の端側近傍に直接装着した収納具。
【発明の詳細な説明】
【技術分野】
【０００１】  本発明は、収納具に関するものである。
【背景技術】
【０００２】  以下、従来の収納具について説明する。従来の収納具１は、図８に示すような構成となっていた。即ち、布で形成されるとともに略四角形をした収納部２と、この収納部２の上方に形成された開閉部３と、この開閉部３の周上に設けられた紐挿通部４と、この紐挿通部４内を摺動自在に挿通するリング状の紐５，６とで構成されていた。【０００３】  以上のように構成された収納具１について、以下にその使用例を説明する。先ず、開閉部３を開いて、収納部２内に物品７を挿入する。そして、紐５、６を夫々左右（矢印８ａ、８ｂ）方向に引っ張る。そうすると、開閉部３は閉塞され、収納部２内へ物品７が収納される。【０００４】  収納具１に収納された物品７を取り出すには、図９に示すように、２本の指９ａ、９ｂを開閉部３に入れて、この指９ａ、９ｂを夫々左右（矢印８ａ、８ｂ）方向に引っ張る。そうすると、開閉部３は開口され、収納部２内に収納された物品７を取り出すことができる。【０００５】  なお、この出願の発明に関連する先行技術文献情報としては、例えば、特許文献１が知られている。
【特許文献１】  特開平７−３０３５１０号公報
【発明の開示】
【発明が解決しようとする課題】
【０００６】  しかしながらこのような収納具１では、収納部２から物品７を取り出すに際して、２本の指９ａ、９ｂを開閉部３内に挿入して、左右方向に引っ張って開口しなければならない。しかし、開閉部３は、物品７がこぼれないように確りと閉塞している。従って、開閉部３へ２本の指９ａ、９ｂを挿入することは困難である。即ち、開閉部３を開口することは困難であった。【０００７】  本発明は、このような問題を解決したもので、容易に開閉部を開口することができる収納具を提供することを目的としたものである。
【課題を解決するための手段】
【０００８】  この目的を達成するために本発明の収納具は、第１の紐に第１の閉塞取手を紐挿通部の一方の端側に設けるとともに、第１の開口取手を前記紐挿通部の他方の端側近傍に直接装着し、第２の紐に第２の閉塞取手を前記紐挿通部の他方の端側に設けるとともに、第２の開口取手を前記紐挿通部の一方の端側近傍に直接装着したものである。これにより、所期のも目的を達成することができる。
【発明の効果】
【０００９】  以上のように本発明によれば、第１の紐に第１の閉塞取手を紐挿通部の一方の端側に設けるとともに、第１の開口取手を前記紐挿通部の他方の端側近傍に直接装着し、第２の紐に第２の閉塞取手を前記紐挿通部の他方の端側に設けるとともに、第２の開口取手を前記紐挿通部の一方の端側近傍に直接装着したものであり、第１、第２の開口取手が設けられているので、この第１、第２の開口取手を摘んで左右方向に夫々引っ張ることにより、容易に開口させることができる。即ち、確りと閉塞された開口内に指を苦労して入れる必要はなく、開口させることができる。
【発明を実施するための最良の形態】
【００１０】（実施の形態１）
以下、図面に基づいて、本発明の実施の形態における収納具について説明する。図１は、本実施の形態における収納具２０の正面図である。図１において２２は、収納袋（収納部の一例として用いた）であり、この収納袋２２は、縦・横の寸法が夫々１４ｃｍの正方形をしている。本実施の形態においては、収納袋２２の材質は柔らかい布を用いている。なお、この材質は布である必要はなく、合成繊維等で形成しても良い。また、防水性を有する材質のもので形成しても良い。また、大きさは、物品７の大きさに応じて適宜変更する。【００１１】  この収納袋２２の上方には、紐挿通部２３が形成されており、この紐挿通部２３により開閉部２１を形成する。紐挿通部２３には、２本のリング状の紐２４，２５が挿通されている。紐２４は、紐挿通部２３の一方の端２３ａの外部へ導出されて、この外部で瘤２４ａを形成している。また、紐２５は、紐挿通部２３の他方の端２３ｂの外部へ導出されて、この外部で瘤２５ａを形成している。これらの瘤２４ａ、２５ａの大きさは紐挿通部２３に侵入しない程度の大きさとなっている。これは、紐２４，２５が紐挿通部２３から抜け出てしまわないためと、操作の容易性のためである。また、この瘤２４ａ、２５ａは閉塞取手２６ａ、２６ｂの役目も兼ねている。【００１２】  紐２４，２５は、同じ材質で同じ太さのものを用いており、表面が滑り易い材料を使うことが好ましい。また、紐挿通部２３は図３に示すように、一本の紐２４（又は２５）が隙間なく３本挿通できる程度の内径（紐径の１．５倍程度）とすることが好ましい。このような寸法関係にすることにより、紐挿通部２３と、紐２４，２５の間に適度の抵抗を得ることができる。【００１３】  ２８ａ、２８ｂは、紐挿通部２３を形成する縫い目である。上方の縫い目２８ａは、上端から５ｍｍの位置を縫っている。下方の縫い目２８ｂは上端から２２ｍｍの位置を縫っており、この縫い目２８ａと縫い目２８ｂとの間が紐挿通部２３になる訳である。【００１４】  紐挿通部２３の一方の端２３ａ近傍には、開口取手２７ａが取り付けられており、他方の端２３ｂの近傍にも、開口取手２７ｂが取り付けられている。これらの開口取手２７ａ、２７ｂは、幅１ｃｍ、長さ２．５ｃｍの大きさであり、収納袋２２と同じ材質の部材で形成されている。【００１５】  そして、これらの開口取手２７ａ、２７ｂは、縫い目２８ａ側に設けられた縫い目２９ａと、縫い目２８ｂ側に設けられた縫い目２９ｂで装着している。このようにして、開口取手２７ａ、２７ｂは、２箇所の縫い目２９ａ、２９ｂで確りと紐挿通部２３に装着される。この縫い目２９ａ、２９ｂは、縫い目２８ａ、２８ｂより太い糸で往復縫いして頑丈に取り付けている。【００１６】  この収納袋２２の前面にはキャラクタ等を描いても良い。また、夜光塗料等を塗っておけば、夜間の目印とすることができる。【００１７】  図２は、開閉部２１を開口した収納具２０を上から見た透視平面図である。図２に示すように、紐挿通部２３内に、リング状（輪形）に形成された紐２４が挿通されている。この紐２４には、閉塞取手２６ａ（瘤２４ａ）が紐挿通部２３の一方の端２３ａ側に設けられている。また、紐挿通部２３内には、リング状に形���された紐２５が挿通されている。この紐２５には、閉塞取手２６ｂ（瘤２５ａ）が紐挿通部２３の他方の端２３ｂ側に設けられている。【００１８】  このように構成された開閉部２１を開口させるには、開口取手２７ａ、２７ｂを摘んで図２における左右方向（矢印３０ａ、３０ｂ方向）に引っ張ることで、容易に開閉部２１を開口させることができる。このようにして形成された開口から物品７を入れて収納する。【００１９】  物品７が収納されたら、図４に示すように、紐２４に設けられた閉塞取手２６ａと、紐２５に設けられた閉塞取手２６ｂを摘んで、図４における左右方向（矢印３０ａ、３０ｂ方向）に引っ張る。この引っ張り操作により、開閉部２１を閉じることができる。開閉部２１は閉じられると、物品７が開閉部２１から毀れることはない。
（実施の形態２）【００２０】  図５は、実施の形態２における収納具３１の正面図である。実施の形態２は、開口取手３２ａ、３２ｂを直接紐２５，２４（符号同順）に装着する点で実施の形態１と相違する。従って、実施の形態２においてはこの相違点を中心に説明する。なお、実施の形態１と同じものについては同符号を付して説明を簡略化している。【００２１】  図５において、紐挿通部２３の一方の端２３ａ側の紐２４には、閉塞取手３３ａが装着されており、他方の端２３ｂ側の紐２４には、開口取手３２ｂが装着されている。そして、この紐２４は、紐挿通部２３の他方の端２３ｂの近傍３６ｂで紐挿通部２３に縫い付けられて固定されている。同様に、紐２５には、紐挿通部２３の他方の端２３ｂ側に閉塞取手３３ｂが装着されており、紐挿通部２３の一方の端２３ａ側の紐２５には、この紐２５に直接開口取手３２ａが装着されている。そして、この紐２５は、紐挿通部２３の一方端２３ａの近傍３６ａで紐挿通部２３に縫い付けられて固定されている。【００２２】  このように、紐２４，２５に開口取手３２ａ、３２ｂを装着しているので、実施の形態１のように、別部材としての開口取手２７ａ、２７ｂが不要となり、低価格化を実現することができる。【００２３】  紐２４に装着された閉塞取手３３ａは、三角形の飾を用いており、開口取手３２ｂには円形の飾を用いている。紐２５に装着された閉塞取手３３ｂは、三角形の飾を用いており、開口取手３２ａには円形の飾を用いている。このように、閉塞取手３３ａ、３３ｂには三角形の飾を用い、開口取手３２ａ、３２ｂには円形の飾を用いている。従って、同じ形状の取手を引っ張ることにより、開口・閉塞を容易に行うことができる。開口取手３２ａ、３２ｂには、閉塞取手３３ａ、３３ｂと異なる飾を付けることが好ましい。なお、この飾は三角形或いは円形の限ることはなく、夫々異なるキャラクタ等を用いても良い。【００２４】  なお、例えば、閉塞取手として、図６（ａ）に示すように紐２４（或いは２５）を直接結んで瘤３４を形成して、この瘤３４を閉塞取手としても良い。また、開口取手として、図６（ｂ）に示すように紐２４（或いは２５）を直接結んで瘤３５を形成して、この瘤３５を開口取手としても良い。【００２５】（実施の形態３）
図７は、実施の形態３における収納具４１の斜視図である。実施の形態３は、収納部４２が硬質部材で形成されている点で、実施の形態１，２と相違する。本実施の形態では、この相違点を中心に説明する。なお、実施の形態１と同じものについては同符号を付して説明を簡略化している。【００２６】  図７において、４２は収納部であり、硬質部材で形成されている。従って、動物等を容易にデザインすることもでき、持ち運びが楽しいものとなる。また、硬質部材で形成されているので、物品７の挿入・排出が容易であるとともに、物品７を変形させることはない。【００２７】  材質としては、金属、合成樹脂、金網、木材等で形成することができる。金属を使用すれば、散歩中に摩擦電気による静電気を生ずることはなく、持ち運びが快適である。合成樹脂を使用すれば、型を用いて、色々な外形のものを容易に製造することができる。また、量産も容易となる。金網を使用すれば、通気性が良いので、食品等の収納にも適したものとなる。また、木材を用いれば、この木材に彫刻等を施して個性豊かなデザインにすることができる。【００２８】  また、硬質部材を用いることにより、その形状は、円筒形、三角形、四角形、多角形、印籠形等の形状を容易に実現することができる。本実施の形態においては、収納部４２の本体４２ａを円筒形とし、下方４２ｂを閉塞するとともに、上方に布製の開閉部４２ｃを装着している。この開閉部４２ｃの上端には、実施の形態１、２に述べた紐挿通部２３を形成し、この紐挿通部２３にはリング状の紐２４，２５が挿通されている。この紐２４、２５には、夫々開口取手３２ａ、３２ｂと閉塞取手３３ａ、３３ｂが装着されている。【００２９】  開閉部４２ｃは、布の他に、皮、シート状の合成樹脂等を使用しても良い。開閉部４２ｃの上端には、紐挿通部２３と紐２４，２５を用いる代わりにファスナー、両面テープ、ボタン等を用いても良い。また、収納部４２に夜光塗料を塗布しても良い。そうすれば、夜の散歩が安全となる。
【産業上の利用可能性】
【００３０】  本発明にかかる収納具は、容易に開口することができるので、収納具として使用することができる。
【図面の簡単な説明】
【００３１】
【図１】  本発明の実施の形態１における収納具の正面図
【図２】  同、上方から見た透視平面図
【図３】  同、紐挿通部とその近傍の断面図
【図４】  同、開閉部を閉じた状態における正面図
【図５】  同、実施の形態２における収納具の正面図
【図６】  同、瘤の平面図  （ａ）は同、第１の例による瘤の平面図  （ｂ）は同、第２の例による瘤の平面図
【図７】  同、実施の形態３における収納具の斜視図
【図８】  従来の収納具の正面図
【図９】  同、使用状態の正面図
【符号の説明】
【００３２】２０  収納具
２１  開閉部
２２  収納袋
２３  紐挿通部
２３ａ  一方の端
２３ｂ  他方の端
２４  紐
２４ａ  瘤
２５  紐
２５ａ  瘤
２６ａ  閉塞取手
２６ｂ  閉塞取手
２７ａ  開口取手
２７ｂ  開口取手
【図１】
2007313258.tif 000003
【図２】
2007313258.tif 000004
【図３】
2007313258.tif 000005
【図４】
2007313258.tif 000006
【図５】
2007313258.tif 000007
【図６】
2007313258.tif 000008
【図７】
2007313258.tif 000009
【図８】
2007313258.tif 000010
【図９】
2007313258.tif 000011